【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】
メインサイトに設置され、第１のホストコンピュータに接続される第１のディスクアレイシステムと、リモートサイトに設置され、前記第１のディスクアレイシステムと第２のホストコンピュータとに接続される第２のディスクアレイシステムと、を備え、
前記第１のディスクアレイシステムは、
複数の第１のディスクドライブと、
いくつかの前記第１のディスクドライブにより構成される第１の記憶ボリュームと、
前記第１のホストコンピュータから送信されるデータを前記第１の記憶ボリュームに記憶し、前記第１のホストコンピュータから送信される前記データの複製をリモートコピーする第１のコントローラと、
を有し、
前記第２のディスクアレイシステムは、
複数の第２のディスクドライブと、
いくつかの前記第２のディスクドライブにより構成される第２の記憶ボリュームと、
前記第１のディスクアレイシステムからリモートコピーされる前記複製を受信して、前記複製を前記第２の記憶ボリュームに記憶する第２のコントローラと、
を有し、
前記第２の記憶ボリュームは、前記第２のホストコンピュータが前記第２の記憶ボリュームにアクセスする際に使用する第１のＬＵＮと、前記第１のディスクアレイシステムが前記複製を前記第２の記憶ボリュームにリモートコピーする際に使用する第２のＬＵＮと、に対応付けられる
ことを特徴とするストレージシステム。
【請求項２】
請求項１に記載のストレージシステムであって、
前記第１のコントローラは、前記複製を前記第２のディスクアレイシステムの前記第２のＬＵＮに送信し、
前記第２のディスクアレイシステムは、リモートコピーされる前記複製を受信して、前記第２のＬＵＮと前記第２の記憶ボリュームとの対応付けに基づいて、前記複製を前記第２の記憶ボリュームに記憶する
ことを特徴とするストレージシステム。
【請求項３】
請求項１に記載のストレージシステムであって、
前記第１のコントローラは、前記第２のＬＵＮをあて先として前記複製をリモートコピーする
ことを特徴とするストレージシステム。
【請求項４】
請求項１に記載のストレージシステムであって、
前記第１のコントローラは、前記第２のＬＵＮを、前記第２のコントローラに要求する
ことを特徴とするストレージシステム。
【請求項５】
請求項１に記載のストレージシステムであって、
前記第１のコントローラは、前記第２のＬＵＮを、前記第１のディスクアレイシステムに接続される管理端末に要求する
ことを特徴とするストレージシステム。
【請求項６】
メインサイトに設置され、第１のホストコンピュータに接続される第１のディスクアレイシステムと、リモートサイトに設置され、前記第１のディスクアレイシステムと第２のホストコンピュータとに接続される第２のディスクアレイシステムと、を備え、
前記第１のディスクアレイシステムは、
複数の第１のディスクドライブと、
複数の前記第１のディスクドライブにより構成される複数の第１の記憶ボリュームと、
前記第１のホストコンピュータから送信されるデータを前記第１の記憶ボリュームに記憶し、前記第１の記憶ボリュームに対応付けられるデータをリモートコピーする第１のコントローラと、
を有し、
第２のディスクアレイシステムは、
複数の第２のディスクドライブと、
複数の前記第２のディスクドライブにより構成される複数の第２の記憶ボリュームと、
前記第１の記憶ボリュームに対応付けられリモートコピーされる前記データを受信して、前記受信したデータを前記第２の記憶ボリュームに記憶する第２のコントローラと、
を有し、
前記各第２の記憶ボリュームは、前記第２のホストコンピュータが前記第２の記憶ボリュームにアクセスする際に使用する第１のＬＵＮと、前記リモートコピーを開始する際に使用する第２のＬＵＮと、に対応付けられる
ことを特徴とするストレージシステム。
【請求項７】
請求項６に記載のストレージシステムであって、
前記第１のコントローラは、前記第２のＬＵＮ毎にリモートコピーの制御を行なう
ことを特徴とするストレージシステム。
【請求項８】
メインサイトに設置され、第１のホストコンピュータに接続される第１のディスクアレイシステムと、リモートサイトに設置され、前記第１のディスクアレイシステムと第２のホストコンピュータとに接続される第２のディスクアレイシステムと、を備えるストレージシステムにおける前記ディスクアレイシステムであって、
複数のディスクドライブと、
いくつかの前記ディスクドライブにより構成される記憶ボリュームと、
前記ディスクアレイシステムを制御するコントローラと、
を備え、
前記ディスクアレイシステムが前記第１のディスクアレイシステムである場合には、前記コントローラは、前記第１のホストコンピュータから送信されるデータを前記記憶ボリュームに記憶し、前記第１のホストコンピュータから送信された前記データの複製をリモートコピーし、
前記ディスクアレイシステムが前記第２のディスクアレイシステムである場合には、前記コントローラは、前記第１のディスクアレイシステムからリモートコピーされる前記複製を受信し、前記複製を前記記憶ボリュームに記憶し、
前記ディスクアレイシステムが前記第２のディスクアレイシステムである場合には、前記記憶ボリュームは、前記第２のホストコンピュータが前記記憶ボリュームにアクセスする際に使用する第１のＬＵＮと、前記第１のディスクアレイシステムが前記記憶ボリュームに前記複製をリモートコピーする際に使用する第２のＬＵＮと、に対応付けられる
ことを特徴とするディスクアレイシステム。
【請求項９】
請求項８に記載のディスクアレイシステムであって、
前記ディスクアレイシステムが前記第１のディスクアレイシステムである場合には、前記コントローラは、前記複製を、前記第２のディスクアレイシステムの前記第２のＬＵＮに送信し、前記第２のディスクアレイシステムは、前記リモートコピーされる前記複製を受信し、前記第２のＬＵＮと前記記憶ボリュームとの対応付けに基づいて前記複製を前記記憶ボリュームに記憶する
ことを特徴とするディスクアレイシステム。
【請求項１０】
請求項８に記載のディスクアレイシステムであって、
前記ディスクアレイシステムが前記第１のディスクアレイシステムである場合には、前記コントローラは、前記第２のＬＵＮをあて先として前記複製をリモートコピーする
ことを特徴とするディスクアレイシステム。
【請求項１１】
請求項８に記載のディスクアレイシステムであって、
前記ディスクアレイシステムが前記第１のディスクアレイシステムである場合には、前記コントローラは、前記第２のディスクアレイシステムの前記コントローラに前記ＬＵＮを要求する
ことを特徴とするディスクアレイシステム。
【請求項１２】
請求項８に記載のディスクアレイシステムであって、
前記ディスクアレイシステムが前記第１のディスクアレイシステムである場合には、前記コントローラは、前記第１のディスクアレイシステムに接続される管理端末に前記第２のＬＵＮを要求する
ことを特徴とするディスクアレイシステム。
【請求項１３】
メインサイトに設置され、第１のホストコンピュータに接続される第１のディスクアレイシステムと、リモートサイトに設置され、前記第１のディスクアレイシステムと第２のホストコンピュータとに接続される第２のディスクアレイシステムと、を備えるストレージシステムにおける前記ディスクアレイシステムであって、
複数のディスクドライブと、
複数の前記ディスクドライブにより構成される複数の記憶ボリュームと、
前記ディスクアレイシステムを制御するコントローラと、
を備え、
前記ディスクアレイシステムが前記第１のディスクアレイシステムである場合には、前記コントローラは、前記第１のホストコンピュータから送信されるデータを前記記憶ボリュームに記憶し、前記記憶ボリュームに対応付けられるデータをリモートコピーし、
前記ディスクアレイシステムが前記第２のディスクアレイシステムである場合には、前記コントローラは、前記記憶ボリュームに対応付けられリモートコピーされる前記データを受信し、前記データを前記記憶ボリュームに記憶し、
前記ディスクアレイシステムが前記第２のディスクアレイシステムである場合には、前記記憶ボリュームのそれぞれは、前記第２のホストコンピュータが前記記憶ボリュームにアクセスする際に使用する第１のＬＵＮと、前記リモートコピーを開始する際に使用する第２のＬＵＮと、に対応付けられる
ことを特徴とするディスクアレイシステム。
【請求項１４】
請求項１３に記載のディスクアレイシステムであって、
前記ディスクアレイシステムが前記第１のディスクアレイシステムである場合には、前記コントローラは、前記第２のＬＵＮ毎に前記リモートコピーの制御を行う
ことを特徴とするディスクアレイシステム。